(57)【要約】【課題】ユーザが独自にカスタマイズした手帳を作成でき、かつ、単にオリジナル手帳を作成できる以上に利便性の高いオリジナル手帳製造システム等を提供する。【解決手段】オリジナル手帳製造システム１について、手帳データ作成部２３は、要素別ページデータとしてカレンダページで構成されたカレンダページデータを複数の中から任意に選択許容する構成であり、前記手帳データ作成部２３により選択された前記カレンダページデータの日付枠内に前記個別予定データを配置するカレンダ設定指定部２３ｃを備え、前記カレンダページデータを含むページデータを通常印刷する通常インク印刷装置２ａと、前記カレンダページにおいて前記カレンダ設定指定部２３ｃで配置された位置に前記個別予定データを可視状態から不可視状態に消しゴム等によって変化させることのできる消去可能印刷により印刷する特殊インク印刷装置２ｂとを備えた。【選択図】図２
2020066127.tif 000002
【特許請求の範囲】
【請求項１】
手帳を構成する様々な要素別のページのデータである要素別ページデータを記憶する要素別ページデータ記憶手段と、
前記要素別ページデータからユーザが任意のページデータを選択することを許容するユーザ別ページデータ選択手段と、
前記ユーザの個別予定である個別予定データの登録を受け付ける個別予定データ登録手段と、
前記個別予定データ登録手段により登録された個別予定データを記憶する個別予定データ記憶手段とを備え、
前記ユーザ別ページデータ選択手段は、前記要素別ページデータとしてカレンダページで構成されたカレンダページデータを複数の中から任意に選択許容する構成であり、
前記ユーザ別ページデータ選択手段により選択された前記カレンダページデータの日付枠内に前記個別予定データを配置するカレンダー上予定配置手段を備え、
前記カレンダページデータを含むページデータを通常印刷する通常印刷手段と
を備えた
オリジナル手帳製造システム。
【請求項２】
前記個別予定データ登録手段は、前記ユーザにとって日付と予定内容が毎年固定されている固定予定データの登録を受け付ける構成であり、
前記カレンダー上予定配置手段は、前記カレンダページにおける前記固定予定データの日付に前記固定予定データの予定内容を配置する構成である
請求項１記載のオリジナル手帳製造システム。
【請求項３】
前記ユーザ別ページデータ選択手段により選択されてユーザに作成されたユーザオリジナルのオリジナルページデータを他人へ公開可能に登録するオリジナルページデータ登録手段を備えた
請求項１または２記載のオリジナル手帳製造システム。
【請求項４】
前記ユーザ別ページデータ選択手段は、ユーザが所属する組織に関連したデータである組織データを取得し、ユーザに関連したデータである個人データに登録されている個人情報に沿ってユーザが任意に変更して前記カレンダページデータを含むページデータを最終決定できるようにできる手帳データ作成部を備えている
請求項１から３のいずれか１つに記載のオリジナル手帳製造システム。
【請求項５】
前記要素別ページデータをページデータ提供者毎に登録することを受け付ける提供者別ページデータ登録手段と、
前記提供者別ページデータ登録手段により登録されたページデータを前記ページデータ提供者と紐づけて記憶する提供者別ページデータ記憶手段とを備え、
前記ユーザ別ページデータ選択手段は、前記要素別ページデータとして前記提供者別ページデータを選択することも許容する構成である
請求項１から４のいずれか１つに記載のオリジナル手帳製造システム。
【請求項６】
前記提供者別ページデータ登録手段は、登録する前記ページデータをどのユーザに対して使用許容するか指定する使用許容ユーザ指定部を有する構成である
請求項５記載のオリジナル手帳製造システム。
【請求項７】
製造する手帳毎にユニークな識別情報を手帳識別情報として登録する手帳識別情報登録手段と、
前記手帳識別情報の入力を受け付ける手帳識別情報入力受付手段と、
前記手帳識別情報入力受付手段により入力受付した前記手帳識別情報により特定される手帳の少なくとも一部を前記通常印刷手段により印刷して手帳の再作成を受け付ける再作成受付手段とを備え、
前記再作成受付手段は、少なくともカレンダページの印刷開始月の変更を受け付ける構成である
請求項１から６のいずれか１つに記載のオリジナル手帳製造システム。
【請求項８】
複数のパスワード候補を順番に記憶するパスワード候補記憶手段と、
順番に並ぶ前記パスワード候補のどこから印刷するかの指定を受け付ける印刷開始パスワード指定手段とを備え、
前記印刷開始パスワード指定手段は、前回手帳が製造された際に指定された印刷開始パスワードを確認可能に表示する印刷開始パスワード確認表示部を備えた
請求項１から７のいずれか１つに記載のオリジナル手帳製造システム。
【請求項９】
人の氏名と連絡先で構成される連絡先データの入力を受け付ける連絡先データ入力手段と、
前記ユーザ別ページデータ選択手段にて連絡先ページデータが選択されると、当該連絡先ページデータのデータ形式に沿って前記連絡先データを配置する連絡先データ配置手段とを備えた
請求項１から８のいずれか１つに記載のオリジナル手帳製造システム。
【請求項１０】
前記通常印刷手段は、摩擦による熱で変色しない一般的な色要素により印刷する構成であり、
前記カレンダページにおいて前記カレンダー上予定配置手段で配置された位置に前記個別予定データを可視状態から不可視状態に消去手段によって変化させることのできる消去可能印刷により印刷する消去可能印刷手段を更に備えた
請求項１から９のいずれか１つに記載のオリジナル手帳製造システム。
【請求項１１】
前記消去可能印刷手段は、印刷後に摩擦による熱が付与されると透明になる特殊色要素により印刷する構成である
請求項１０記載のオリジナル手帳製造システム。
【請求項１２】
コンピュータを、
手帳を構成する様々な要素別のページのデータである要素別ページデータを記憶する要素別ページデータ記憶手段と、
前記要素別ページデータからユーザが任意のページデータを選択することを許容するユーザ別ページデータ選択手段と、
前記ユーザの個別予定である個別予定データの登録を受け付ける個別予定データ登録手段と、
前記個別予定データ登録手段により登録された個別予定データを記憶する個別予定データ記憶手段として機能させ、
前記ユーザ別ページデータ選択手段は、前記要素別ページデータとしてカレンダページで構成されたカレンダページデータを複数の中から任意に選択許容する構成であり、
前記ユーザ別ページデータ選択手段により選択された前記カレンダページデータの日付枠内に前記個別予定データを配置するカレンダー上予定配置手段を備え、
前記カレンダページデータを含むページデータを通常印刷する通常印刷手段として機能させる
オリジナル手帳製造プログラム
【請求項１３】
手帳を構成する様々な要素別のページのデータである要素別ページデータを要素別ページデータ記憶手段に記憶し、
前記要素別ページデータからユーザが任意のページデータを選択することをユーザ別ページデータ選択手段により許容し、
前記ユーザの個別予定である個別予定データの登録を個別予定データ登録手段により受け付け、
前記個別予定データ登録手段により登録された個別予定データを個別予定データ記憶手段により記憶し、
前記ユーザ別ページデータ選択手段は、前記要素別ページデータとしてカレンダページで構成されたカレンダページデータを複数の中から任意に選択許容し、
前記ユーザ別ページデータ選択手段により選択された前記カレンダページデータの日付枠内に前記個別予定データをカレンダー上予定配置手段により配置し、
前記カレンダページデータを含むページデータを通常印刷手段により通常印刷する
オリジナル手帳製造方法。
【発明の詳細な説明】
【技術分野】
【０００１】
この発明は、例えば、ユーザが独自の手帳を作成するようなオリジナル手帳製造システム、オリジナル手帳製造方法、およびオリジナル手帳製造プログラムに関する。
【背景技術】
【０００２】
従来、様々な種類の手帳が販売されている。ユーザは、デザイン性や大きさに加え、手帳内のカレンダー部分が月別表示か週別表示か、メモ用ページがどれくらいあるか等、手帳を構成する様々要素を確認し、自分の好みのものを購入する。一方で、カバーと中身を別々に購入できるシステム手帳も販売されている。このシステム手帳は、中に閉じることのできるページの種類が様々に用意されており、ユーザが自分の好みのページを購入してカスタマイズできる。しかし、ユーザの好みは千差万別である。このため、例えば、カバーはＡ社のものが好みで、中身のページについてはＢ社のものが好みであるが、サイズが異なるために両方を合わせることができず、どちらかを選択しなければならないといったことが生じる。そして、このようなことが生じると、結局、Ａ社のものを購入するか、Ｂ社のものを購入するか、様々な要素を検討して決めなければならず、決めるのが難しいという問題も生じる。すなわち、システム手帳によって選択肢が増えたといえども、まだユーザにとって十分とは言えなかった。
【０００３】
一方、オリジナル手帳のオンデマンド印刷に利用する手帳編集装置が提案されている（特許文献１参照）。この手帳編集装置は、ユーザが設定した属性値に従うページデータを手帳要素毎に生成し組版して印刷データを生成することができるとされている。
【０００４】
しかし、この手帳編集装置は、ページデータをユーザが選択できるという点でユーザのカスタマイズした手帳を作成できるものの、それ以上の利便性はなかった。
【先行技術文献】
【特許文献】
【０００５】
【特許文献１】特開２０１２−１１３４４９号公報
【発明の概要】
【発明が解決しようとする課題】
【０００６】
この発明は、上述の問題に鑑みて、ユーザが独自にカスタマイズした手帳を作成でき、かつ、単にオリジナル手帳を作成できる以上に利便性の高いオリジナル手帳製造システム、オリジナル手帳製造方法、およびオリジナル手帳製造プログラムを提供し、利用者の満足度を向上させることを目的とする。
【課題を解決するための手段】
【０００７】
この発明は、手帳を構成する様々な要素別のページのデータである要素別ページデータを記憶する要素別ページデータ記憶手段と、前記要素別ページデータからユーザが任意のページデータを選択することを許容するユーザ別ページデータ選択手段と、前記ユーザの個別予定である個別予定データの登録を受け付ける個別予定データ登録手段と、前記個別予定データ登録手段により登録された個別予定データを記憶する個別予定データ記憶手段とを備え、前記ユーザ別ページデータ選択手段は、前記要素別ページデータとしてカレンダページで構成されたカレンダページデータを複数の中から任意に選択許容する構成であり、前記ユーザ別ページデータ選択手段により選択された前記カレンダページデータの日付枠内に前記個別予定データを配置するカレンダー上予定配置手段を備え、前記カレンダページデータを含むページデータを通常印刷する通常印刷手段とを備えたオリジナル手帳製造システム、オリジナル手帳製造方法、およびオリジナル手帳製造プログラムであることを特徴とする。
【発明の効果】
【０００８】
この発明により、ユーザが独自にカスタマイズした手帳を作成でき、かつ、単にオリジナル手帳を作成できる以上に利便性の高いオリジナル手帳製造システム、オリジナル手帳製造方法、およびオリジナル手帳製造プログラムを提供できる。
【図面の簡単な説明】
【０００９】
【図１】オリジナル手帳製造システムのシステム構成を示すブロック図。
【図２】ユーザ端末の制御部の機能ブロック図。
【図３】画面構成を説明する説明図。
【発明を実施するための形態】
【００１０】
以下、この発明の一実施形態を図面と共に説明する。
【実施例１】
【００１１】
図１は、オリジナル手帳製造システム１のシステム構成を示すブロック図である。
オリジナル手帳製造システム１は、手帳製造装置２と、アイテム提供者端末３と、組織端末４と、ユーザ端末５と、管理サーバ６が電気通信回線であるインターネット８に接続されて構成されている。
【００１２】
手帳製造装置２は、通常インク印刷装置２ａ（通常印刷手段）と、特殊インク印刷装置２ｂ（消去可能印刷手段）と、製本装置２ｃと制御装置２ｄと、表紙印刷装置２ｅとで構成されている。
【００１３】
通常インク印刷装置２ａは、色要素としてトナーを用い、受信した印刷データに基づいて複数ページをトナーによりオンデマンド印刷できるレーザプリンター、色要素としてインクを用い、受信した印刷データに基づいて複数ページをインクによりオンデマンド印刷できるインクジェットプリンター等、印刷後に摩擦による熱を付与しても印刷された文字や模様が消えない（不可視とならない）一般的な印刷装置で構成されている。
【００１４】
特殊インク印刷装置２ｂは、色要素として特殊インクを用い、受信した印刷データに基づいて複数ページを特殊インクによりオンデマンド印刷できるインクジェットプリンター等、特殊インクによる印刷ができる印刷装置で構成されている。特殊インクは、印刷後に摩擦により熱を付与すると透明（不可視）になる特殊なインクにより構成されている。
【００１５】
これらの印刷装置は、まず通常インク印刷装置２ａにより印刷がされ、その後に特殊インク印刷装置２ｂによる印刷がされるよう、この順に配置されている。そして、通常インク印刷装置２ａによる印刷は、全ページを連続して順番に実施し、特殊インク印刷装置２ｂは、この全ページを通過させて特殊インクによる印刷が必要なページのみ印刷する。これにより、特殊インクの印刷が、通常インク印刷装置２ａによる印刷の熱で透明になってしまうことを防止し、かつ、すべてのページが順番に並んだ状態で印刷後ページが出力される。
なお、通常インク印刷装置２ａと特殊インク印刷装置２ｂを１つのインクジェットプリンターで構成し、通常インクのインクタンクと特殊インクのインクタンクを両方セットして、通常印刷と特殊印刷を一括して実行する構成としてもよい。この場合も、通常印刷部分は消すことができず、特殊印刷部分は消しゴム等でこすれば消えるという機能を実現できる。
【００１６】
製本装置２ｃは、通常インク印刷装置２ａによる印刷と特殊インク印刷装置２ｂによる印刷がなされた２種印刷ページと、通常インク印刷装置２ａによる印刷のみが行われた１種印刷ページが、手帳の順番に並べた状態でセットされ、表紙印刷装置２ｅで製造された表紙がセットされて、この表紙と全ページを製本してオリジナル手帳９ｃを出力する。この製本装置２ｃは、例えば表紙（表、背、裏が並んでいる状態の１枚の用紙）の背表紙裏側部分と全ページの一側辺をホットメルトで接着して１冊の手帳とする製本装置など、適宜の製本装置により構成されている。
【００１７】
制御装置２ｄは、通常インク印刷装置２ａ、特殊インク印刷装置２ｂ、製本装置２ｃ、および表紙印刷装置２ｅに印刷用のデータまたは製本用のデータを送信してオリジナル手帳を完成させるように指示する。詳述すると、制御装置２は、通常インク印刷装置２ａに全ページのデータから特殊インクによる印刷部分を除いた通常インク印刷用データを通常インク印刷装置２ａに送信して印刷指示する。制御装置２は、全ページのデータで特殊インクによる印刷のないページは白紙ページとし、特殊インクによる印刷のあるページのみ特殊インクによる印刷データとする特殊インク用印刷データを特殊インク印刷装置２ｂに送信して印刷指示する。制御装置２は、表紙印刷装置２ｅに表と背と裏を合わせた表紙印刷用データを送信して表紙用紙９ｂに表、背、裏を印刷した表紙（カバー）を作成指示する。制御装置２は、印刷された全ページと印刷された表紙（カバー）を製本して手帳にするよう製本装置２ｃに指示する。
【００１８】
表紙印刷装置２ｅは、表紙用紙９ｂに表、背、裏を印刷した表紙を作成する。背の幅（つまり全ページの厚さ）については、全ページの印刷枚数によって計算された幅データを受け取り、その幅を確保する。
【００１９】
アイテム提供者端末３と、組織端末４と、ユーザ端末５は、デスクトップＰＣ、ノートＰＣ、タブレット端末、またはスマートフォンなど、適宜のコンピュータにより構成されており、キーボードとマウスまたはタッチパネルで構成される入力部、液晶ディスプレイまたは有機ＥＬディスプレイで構成される表示部、ＣＰＵとＲＯＭとＲＡＭで構成される制御部、無線ＬＡＮボードまたは有線ＬＡＮボードまたはＷＩＦＩユニットまたは４Ｇ通信ユニットで構成される通信部、およびハードディスクまたは不揮発性メモリで構成される記憶部を有している。ユーザ端末５の記憶部には、後述するオリジナル手帳作成プログラム１１が記憶されており、組織端末４の記憶部には、組織用の組織データを管理サーバ６の記憶部に登録する組織データ登録プログラムが記憶されており、アイテム提供者端末３の記憶部には、管理サーバ６の記憶部のアイテムデータ６ｅに様々なページデータ（提供者別ページデータ）やアイコン等をアイテムとして登録するアイテム登録プログラムと管理サーバ６の記憶部のアイテム提供者データ６ｄへの登録をするアイテム提供者データ登録プログラムが記憶されている。
【００２０】
アイテム提供者端末３は、手帳作成時に用いられる適宜のアイテム、例えばカレンダーのデザインデータや連絡先ページのデザインデータ、表紙（カバー）のデザインデータ、鉄道路線図のデザインデータ、年齢早見表のデザインデータ、度量衡のデザインデータ、印紙税のデザインデータ、地図のデザインデータ等を提供するアイテム提供者によって操作され、これらのアイテムを管理サーバ６に登録する。このアイテムを登録するとき、アイテムの利用者を特定の利用者に制限するのであれば、アイテム提供者端末３は、当該アイテムを利用可能とするユーザを属性（性別、年齢、役職、職種、部署等）、アイテム提供者が管理するユーザ種別（例えば一般、ゴールド、プラチナ等の会員種別など）、あるいは個別に指定することを受け付け、使用許容ユーザ指定部として機能する。このアイテム使用可能なユーザの指定データは、アイテムデータ６ｅに提供者識別データ毎に、あるいはオリジナルページデータ毎に登録される。
【００２１】
組織端末４は、企業や社団法人など適宜の組織によって利用される端末であり、創業記念日や定例会議等の組織の予定のサーバ６への登録、組織の推奨するデフォルトとなる手帳のページ、および組織に所属する社員等の人員（ユーザ）のサーバ６への登録を受け付ける。
【００２２】
ユーザ端末５は、オリジナル手帳を作成するユーザにより操作され、個人所属データや個人予定データや個人連絡先データ等の管理サーバ６への登録、および手帳の各種ページと表紙（カバー）のデザインの選択等を受け付ける。
またこのユーザ端末５から、ユーザが任意にデザインした手帳の各種ページと表紙（カバー）のデザインの選択等の結果或いは結果の一部を管理サーバ６のアイテムデータ６ｅへ登録し、アイテム提供者としてアイテム提供者データ６ｄにも登録することにより、他のユーザのユーザ端末５からも各種ページを閲覧並びに選択可能にする、すなわち他の不特定多数或いは限定された所定の複数のユーザへ広く利用されるべく公開することも可能である。
【００２３】
管理サーバ６は、ＷＥＢサーバなどの適宜のサーバ装置で構成され、ＣＰＵとＲＯＭとＲＡＭで構成される制御部、ハードディスク等で構成される記憶部、優先ＬＡＮボード等で構成される通信部、キーボードとマウス等で構成される入力部、および液晶ディスプレイや有機ＥＬディスプレイ等の表示部を有している。
【００２４】
管理サーバ６の記憶部には、基本設定データ６ａ、組織データ６ｂ、個人データ６ｃ、アイテム提供者データ６ｄ、アイテムデータ６ｅ、および手帳データ６ｆが記憶されている。
【００２５】
基本設定データ６ａは、手帳サイズデータ、カバーデザインデータ、年月日データ、カレンダー形式データ、メモページデータ、および情報ページデータを有している。
【００２６】
組織データ６ｂは、組織識別データ、組織オリジナルページデータ、組織予定データおよび、組織連絡先データといった、組織に関連したデータを有している。
個人データ６ｃは、個人識別データ、個人所属データ、個人オリジナルページデータ、個人予定データ、個人連絡先データ、および手帳製造番号データといった、個人すなわちユーザに関連したデータを有している。
【００２７】
アイテム提供者データ６ｄは、アイテム提供者識別データ（アイテム提供者識別ＩＤ、アイテム提供者名、アイテム提供者売り上げ入金用口座、アイテム提供者電話番号、アイテム提供者住所等）を有している。
アイテムデータ６ｅは、提供者識別データ、およびオリジナルページデータを有している。またこのアイテムデータ６ｅの有するオリジナルページデータには、上記の通りあるユーザが他の不特定多数或いは限定された所定の複数のユーザへ広く公開することを希望したものも含まれる。
【００２８】
手帳データ６ｆは、完成した手帳のデータであり、手帳製造番号、手帳サイズ、カバーデザイン、製造年月日、カレンダー形式、メモページ、情報ページ、オリジナルページ、組織予定、組織連絡先、個人予定、個人連絡先、個人オリジナルページ等、完成した手帳のデータが記憶されている。
【００２９】
図２は、ユーザ端末５の制御部が記憶部に記憶されているオリジナル手帳作成プログラム１１に従って管理サーバ６にアクセスして手帳を作成する機能を説明する機能ブロック図である。
【００３０】
オリジナル手帳作成プログラム１１は、主に、情報入力部１２、手帳作成部２１、および手帳印刷部３１による三つの機能を有している。
情報入力部１２は、ユーザの個人情報を入力する個人情報入力部１３と、ユーザの予定や連絡先などのデータをオリジナルデータとして入力するオリジナルデータ入力部１４を有している。
【００３１】
個人情報入力部１３は、ユーザ個人に付与されたＩＤとパスワード、ユーザの氏名、Ｅメールアドレス、住所、電話番号、および所属組織等の登録を受け付ける。所属組織は、会社や社団法人等の所属を示すものであり、社名または組織ＩＤによる入力を受け付ける。
【００３２】
オリジナルデータ入力部１４は、誕生日などの毎年固定されている固定予定データと、花見開催日などの変動のある変動予定データと、友人や知人などの氏名や電話番号やＥメールや住所等の連絡先データと、ペットの写真や家族写真などの任意の写真である写真データと、ユーザが好きな偉人の言葉や座右の銘などの言葉データと、様々なパスワードの管理用のパスワード管理データの入力を受け付ける。連絡先データの入力を受け付けるオリジナルデータ入力部１４は、連絡先データ入力手段として機能する。これらの入力は、手入力でも良いが、スマートフォンやタブレット端末等の電話帳アプリや名刺アプリ等に登録されているデータをＣＳＶ形式等の適宜の互換性のあるフォーマット形式のデータで送信して一括登録してもよい。また、固定予定データについては、手帳作成時に毎回自動でカレンダーに入力される構成とすることが望ましい。これにより、誕生日等の固定データを毎年入力する手間が省略される。また、変動予定データについては、カレンダーに印刷するか否かその都度確認でき、また、その年の日程に合わせて変更して印刷するように登録するといったことができる。
【００３３】
手帳作成部２１は、手帳データ管理部２２と、手帳データ作成部２３と、プレビュー表示部２４を有している。
【００３４】
手帳データ管理部２２は、作成した手帳の管理、および手帳の新規作成を受け付ける。具体的には、作成された手帳を最終更新日の順で一覧表示し、一覧表示には最終更新日に加えてユーザが設定した手帳名と手帳製造の有無、製造済みの場合は手帳製造番号を表示する構成となっている。これにより、製造した手帳、および作成途中の手帳を管理できるようにしている。新規作成の場合には、カレンダー名の入力を受け付けて、手帳データ作成部２３へ処理を移行する。また、一覧表示から任意の手帳が選択された場合も、手帳データ作成部２３へ処理を移行する。この手帳データ管理部２２は、手帳を検索する検索機能部も有しており、この検索機能部で手帳製造番号が入力されると、その手帳製造番号に該当する手帳を手帳データ作成部２３により表示する。このとき、手帳製造番号の入力を受け付ける手帳データ管理部２２は、手帳識別情報入力受付手段として機能する。
【００３５】
手帳データ作成部２３は、手帳作成を実行する。ここで作成するのは、主に手帳の各ページのデザインと各ページの並びであり、入力される個別データ、すなわち連絡先や予定等は、上述した情報入力部１２により入力された個人データ６ｃから取得する。
【００３６】
手帳データ作成部２３は、手帳データを作成する機能を有しており、サイズ指定部２３ａ、カバー作成部２３ｂ、カレンダ設定指定部２３ｃ、メモページ指定部２３ｄ、独自ページ作成部２３ｅ、組織ページ指定部２３ｆ、アイテム選択部２３ｇ、広告選択部２３ｈ、連絡先ページ作成部２３ｉ、およびアイテム登録部２３ｊ（オリジナルページデータ登録手段）を有している。
【００３７】
サイズ指定部２３ａは、図示省略するサイズ指定画面を表示し、手帳のサイズの指定を受け付ける。これにより、Ａ６文庫本サイズ、Ｂ６文庫本サイズ、Ａ５サイズ、教科書サイズ、Ｂ５ノートサイズ、Ｂ６サイズ、Ａ５サイズ、背広内ポケットサイズなど、様々なサイズを選択できる。なお、カレンダーの他の要素が指定された後にサイズが変更される場合、これまでの設定が消去される旨のメッセージとともにサイズ変更を本当にして良いか否か選択させる確認表示を行う。
【００３８】
カバー作成部２３ｂは、図示省略するカバー作成画面を表示し、手帳のカバー（表紙）の作成を受け付ける。カバーの作成に際して、カバー作成部２３ｂは、基本設定データ６ａに登録されているカバーデザイン（表紙デザイン）またはアイテムデータ６ｅに登録されているカバーデザインから任意のカバーデザインを選択する、組織データ６ｂに登録されている組織用カバーデザインを選択（または組織側の設定によっては組織用カバーデザインに固定）する、もしくは、個人データ６ｃに登録した写真データや言葉データを利用してオリジナルのカバーデザインを作成する等、ユーザが望む適宜の方法でのカバーデザインの作成を受け付ける。これにより、カバーの色やデザインをユーザが任意に選択できるとともに、レフト式、セパレート式、バーティカル式、カレンダー式など、様々な形式の手帳を選択することができる。また、カバー作成部２３ｂは、アイテムデータ６ｅに登録されているデータを使用するとき、このアイテムデータ６ｅの使い方のコツや良さ等をアイテムデータ６ｅへの公開されたコメントとして登録することも受け付ける。これにより、ユーザがアイテムデータ６ｅを自由に紹介することができ、このコメントの数や内容を閲覧することでユーザはアイテムデータ６ｅの人気の高さや便利な使い方等を知ることができる。
【００３９】
カレンダ設定指定部２３ｃは、カレンダページの作成を行う機能を有する。詳細は後述する。
メモページ指定部２３ｄは、メモページの作成を行う機能を有する。詳細は後述する。
【００４０】
独自ページ作成部２３ｅは、図示省略する独自ページ作成画面を表示し、ユーザが任意に作成する独自ページの作成を受け付ける。この独自ページ作成部２３ｅは、個人データ６ｃに登録されている写真データや言葉データ等の適宜のデータや、アイテムデータ６ｅに登録されているアイコンや写真等の適宜のデータを利用し、文字や線や図形を描いて、自由なページを作成できる。また、ユーザ自身の氏名や住所や電話番号等の個人データを印刷する個人情報ページを作成することもでき、さらに勤務先や所属部署、個人ＱＲコード（登録商標）、手帳製造番号等も印刷することができる。独自ページ作成部２３ｅは、アイテムデータ６ｅに登録されているデータを使用するとき、このアイテムデータ６ｅの使い方のコツや良さ等をアイテムデータ６ｅへの公開されたコメントとして登録することも受け付ける。これにより、ユーザがアイテムデータ６ｅを自由に紹介することができ、このコメントの数や内容を閲覧することでユーザはアイテムデータ６ｅの人気の高さや便利な使い方等を知ることができる。
【００４１】
組織ページ指定部２３ｆは、図示省略する組織ページ作成画面を表示し、ユーザが所属する組織が提供している組織ページを組織データ６ｂから取得し、当該組織ページを配置する。男性用と女性用、部署別、あるいは役職別など、組織ページに選択肢がある場合、組織ページ指定部２３ｆは、個人データ６ｃに登録されている個人情報に沿ってユーザに適切なページをデフォルト設定しておき、ユーザが任意に変更して最終決定できるようにしている。なお、ユーザの部署や役職が個人データ６ｃ若しくは組織データ６ｂ等により特定できる場合、部署別または／および役職別の組織ページはユーザに該当する部署または／および役職のものしか選択できないようにすることが好ましい。
【００４２】
アイテム選択部２３ｇは、アイテムページの作成を行う機能を有する。詳細は後述する。
【００４３】
広告選択部２３ｈは、図示省略する広告ページ選択画面を表示し、アイテムデータ６ｅに広告として登録されているページデータから任意のページデータの選択を受け付ける。選択された広告ページの数量が手帳製造に必要な数量を超えると、手帳製造が無償若しくは割引価格になる。これにより、ユーザは、オリジナル手帳の作成費用を抑制でき、広告企業は個別ユーザの手帳に広告を掲載することができる。この広告は、例えば商品注文用の商品写真とＱＲコード（登録商標）等としておけば、ユーザが当該商品を必要とする際に手帳のＱＲコード（登録商標）をスマートフォンで読み取って簡単に注文できるようにすることができる。また、広告選択部２３ｈは、選択された広告が作成する手帳の内容やデザインに制限をかけている場合、その制限を超えているページについてエラー表示をする構成とすると良い。この場合、エラー表示の出ているページについて変更しようとすると、選択された広告で許容されているデザインのページのみ選択できるように画面表示するデザインを変更し、広告によって無料または安価に作成できる範囲内で手帳を作成することができる。この広告によるサービスを利用して、ユーザ自身が使用する手帳だけでなく、オリジナル手帳を人にプレゼントすることもできる。
【００４４】
連絡先ページ作成部２３ｉは、連絡先ページの作成を行う機能を有する。詳細は後述する。  
アイテム登録部２３ｊは、各種アイテムの登録を受け付ける。このアイテム登録のとき、アイテム提供者による登録であれば、そのままアイテムデータ６ｅへの登録を受け付ける。一般ユーザからのアイテム登録であれば、アイテム提供者データ６ｄに登録されたユーザであるか確認し、登録されていればそのままアイテム登録を受け付ける。登録されていないユーザであれば、アイテム提供者データ６ｄへの登録を要請し、登録完了後にアイテムデータ６ｅへのアイテム登録を受け付ける。
【００４５】
プレビュー表示部２４は、図示省略するプレビュー画面を表示し、手帳データ作成部２３で作成された手帳の全ページを順番にプレビュー表示する。このプレビュー画面には、進むボタンと戻るボタンが設けられ、進むボタンによって１ページずつ送って確認できるとともに、戻るボタンによって１ページずつ戻って再確認することができる。
【００４６】
手帳印刷部３１は、手帳製造装置２（図１参照）に対して手帳データを送信して手帳印刷を指示する手帳印刷指示部３２と、印刷した手帳のデータに手帳製造番号を付与して手帳データ６ｆに登録して印刷履歴を蓄積する手帳印刷履歴管理部３３とを有している。このとき、手帳印刷部３１は、ユニークな製造番号を付与し、手帳識別情報登録手段として機能する。また、手帳印刷指示部３２は、手帳製造番号により手帳を検索する機能も有し、この手帳が印刷されていても再度印刷できるようにしている。この再度印刷する際の手帳製造番号の入力を受け付ける手帳印刷指示部３２は、再作成受付手段として機能する。
すなわち、ユーザが不意に手帳を紛失してしまうような事態があってもこの手帳印刷支持部３２が手帳製造番号を受け付ければ同じ手帳を再度印刷できるようにしている。
【００４７】
図３は、手帳データ作成部２３が画面表示する画面を説明する説明図である。
図３（Ａ）は、カレンダ設定指定部２３ｃが画面表示するカレンダページ作成画面５０の画面構成図である。
【００４８】
カレンダページ作成画面５０は、デザインボタン５１、予定ボタン５２、表示切替ボタン５３、カレンダイメージ表示枠５４、キャンセルボタン５８、決定ボタン５９およびアップロードボタン５９ａを有している。
【００４９】
デザインボタン５１は、選択されると図示省略するカレンダデザイン選択画面を表示し、基本設定データ６ａおよびアイテムデータ６ｅに登録されている多数のカレンダページのデザインから任意のデザインの選択を受け付ける。また、カレンダーとして印刷する期間を６カ月、１年、２年、３年等の任意の期間に指定でき、開始年月も業種や決算月等に合わせて任意に設定できる。また、週別表示や一日表示のように時間表示ができる形式のカレンダーであれば、開始時刻と終了時刻も選択できる。これにより、ユーザの生活の時間帯に合わせた手帳を作成でき、早起きのユーザであれば早朝からの時間帯のカレンダー、遅く起きて夜に仕事するユーザであれば深夜も含めて夜を中心とする時間帯のカレンダーを有する手帳を作成できる。また、ユーザによっては土日が休みとは限らないため、優先曜日を入力できる構成とすることが望ましい。ユーザの所属する組織が組織独自のカレンダページのデザインを組織データ６ｂに登録している場合は、そのユーザは自己の所属する組織のカレンダページのデザインも選択できる。また、選択できるデザインは、月別表示や週別表示等の表示形式の違い、月曜始まりや日曜始まりなどの開始曜日の違い等もある。したがって、ユーザは、様々な種類の形式およびデザインのカレンダーから好みのものを選択できる。また、同じデザインでも、開始曜日の変更や、六曜の表示の有無、土日の色付け、祝祭日の色付け等を細かく指定できる。これにより、多様なユーザの好みをできる限り反映できる。
【００５０】
予定ボタン５２は、図示省略する予定確認画面を表示し、個人データ６ｃに登録されているユーザ個人の予定である個人予定データ、および、組織データ６ｂに登録されている組織の予定である組織予定データを区別可能に一覧表示する。そして、この一覧表示の中から通常印刷を行う予定、および特殊印刷を行う予定を選択許容する。これにより、例えば誕生日や創業記念日等の変更のあり得ない予定は通常印刷し、定例会議や夏季休暇や年末年始休暇や花見予定など年度によって変更のあり得る予定は消去可能な特殊印刷をするといったことが可能になる。この通常印刷と特殊印刷の予定は一度設定されると個人データ６ｃ内に保存され、翌年移行も現在の設定がデフォルト表示され、必要に応じて変更でき、必要なければ変更せずそのまま同じ設定で印刷できる。
【００５１】
表示切替ボタン５３は、選択される毎に、カレンダイメージ表示枠５４内に表示する予定を、通常印刷と特殊印刷の両方を表示する「全て」と、通常印刷のみを表示する「消去不可」と、特殊印刷のみを表示する「消去可能」の３種類の表示のうちの１つに順次切り替える。これにより、予定変更があった場合に消すことのできる予定と、消すことのできない予定を明瞭に確認することができる。
【００５２】
カレンダイメージ表示枠５４は、デザインボタン５１で選択されたカレンダー５５を表示するとともに、基本設定データ６ａに登録されている祝祭日５６、および予定ボタン５２で選択された予定５６を当該カレンダー５５の日付枠内に表示する。予定５６は、表示切替ボタン５３で「全て」が選択されている場合は表示し、「消去不可」が選択されている場合は当該予定が消去不可に選択されていれば表示してそうでなければ表示せず、「消去可能」が選択されている場合は当該予定が消去可能に選択されていれば表示してそうでなければ表示しない。
【００５３】
キャンセルボタン５８は、選択されると、デザインボタン５１で選択されたデザインや予定ボタン５２で選択された予定により作成されているカレンダーを保存せずにキャンセルし、前の画面に戻る。
【００５４】
決定ボタン５９は、選択されると、デザインボタン５１で選択されたデザインや予定ボタン５２で選択された予定により作成されているカレンダーを決定データとして手帳データ６ｆに保存する。なお、一度決定していても、印刷前であれば手帳データ６ｆから呼び出して任意に編集できる。
また本実施例では決定ボタン５９の隣に、アップロードボタン５９ａを設けている。このアップロードボタン５９ａは、選択されると、アイテム登録部２３ｊを動作させる。アイテム登録部２３ｊは、現在作成されているカレンダーを決定データとしてアイテムデータ６ｅに保存する。なお、一度アップロードしていても、アイテムデータ６ｅから呼び出して任意に編集できる。このようにして、ユーザが作成したカレンダー等をアップロードすることで、ユーザが自身のオリジナルのアイテム（カレンダー等）をアップロードして第三者に有料または無料で提供（販売）することができる。ユーザがアップロードしたオリジナルのアイテムが購入された場合、管理サーバ６が、当該アイテムを作成したユーザのアイテム提供者売り上げ入金用口座に購入金額の一部を入金する。
【００５５】
図３（Ｂ）は、連絡先ページ作成部２３ｉが画面表示する連絡先ページ作成画面６０の画面構成図である。
【００５６】
連絡先ページ作成画面６０は、デザインボタン６１、連絡先ボタン６２、表示切替ボタン６３、連絡先表示枠６４、キャンセルボタン６８、および決定ボタン６９により構成されている。
【００５７】
デザインボタン６１は、選択されると図示省略する連絡先デザイン選択画面を表示し、基本設定データ６ａおよびアイテムデータ６ｅに登録されている多数の連絡先ページのデザインから任意のデザインの選択を受け付ける。ユーザの所属する組織が組織独自の連絡先ページのデザインを組織データ６ｂに登録している場合は、そのユーザは自己の所属する組織の連絡先ページのデザインも選択できる。
【００５８】
連絡先ボタン６２は、図示省略する連絡先一覧表示画面を表示し、個人データ６ｃに記憶されている連絡先データのうち、手帳に印刷するデータの選択を受け付ける。また、ユーザの所属する組織が組織データ６ｂ内に本社や支店等の連絡先を登録している場合、この連絡先についても連絡先一覧表示画面に表示し、手帳への印刷をするか否か選択させる。また、手帳に印刷する連絡先データのうち、通常印刷とするものと特殊印刷とするものの選択も受け付ける。この選択は、氏名、電話番号、住所といった要素別に全員一括で選択する一括選択と、一人ずつ個別に選択する個別選択を利用できる。
【００５９】
表示切替ボタン６３は、選択される毎に、連絡先表示枠６４内に表示する予定を、通常印刷と特殊印刷の両方を表示する「全て」と、通常印刷のみを表示する「消去不可」と、特殊印刷のみを表示する「消去可能」の３種類の表示のうちの１つに順次切り替える。これにより、変更があった場合に消すことのできる内容（例えば住所や電話番号）と、消すことのできない内容（例えば氏名）を明瞭に確認することができる。
【００６０】
連絡先表示枠６４は、デザインボタン６１で選択されたデザインの連絡先ページ６５を表示するとともに、その連絡先ページ６５に設定されているデータ枠内に連絡先ボタン６２で選択された連絡先６６を１件ずつ入力した状態で表示する。このとき、連絡先データ配置手段として機能する。
【００６１】
キャンセルボタン６８は、選択されると、デザインボタン６１で選択されたデザインや連絡先ボタン６２で選択された連絡先により作成されている連絡先ページを保存せずにキャンセルし、前の画面に戻る。
【００６２】
決定ボタン６９は、選択されると、デザインボタン６１で選択されたデザインや連絡先ボタン６２で選択された連絡先により作成されている連絡先ページを決定データとして手帳データ６ｆに保存する。なお、一度決定していても、印刷前であれば手帳データ６ｆから呼び出して任意に編集できる。
【００６３】
図３（Ｃ）は、メモページ指定部２３ｄが画面表示するメモページ作成画面７０の画面構成図である。
メモページ作成画面７０は、デザインボタン７１、メモページ表示枠７４、キャンセルボタン７８、決定ボタン７９、およびアップロードボタン７９ａを有している。
【００６４】
デザインボタン７１は、選択されると図示省略するメモページ選択画面を表示し、基本設定データ６ａおよびアイテムデータ６ｅに登録されている多数のメモページのデザインから任意のデザインの選択を受け付ける。ユーザの所属する組織が組織独自のメモページのデザインを組織データ６ｂに登録している場合は、そのユーザは自己の所属する組織のメモページのデザインも選択できる。また、メモページのページ数も選択できる。これにより、行数、線のタイプ、白紙、方眼紙等の様々なデザインのメモページが任意のページ数だけある手帳を作成できる。
【００６５】
メモ表示枠７４は、デザインボタン７１で選択されたデザインのメモページ７５を表示する。
キャンセルボタン７８は、選択されると、デザインボタン７１で選択されたデザインを保存せずにキャンセルし、前の画面に戻る。
【００６６】
決定ボタン７９は、選択されると、デザインボタン７１で選択されたデザインのメモページ７５を決定データとして手帳データ６ｆに保存する。なお、一度決定していても、印刷前であれば手帳データ６ｆから呼び出して任意に編集できる。
また本実施例では決定ボタン７９の隣に、アップロードボタン７９ａを設けている。このアップロードボタン７９ａは、選択されると、アイテム登録部２３ｊが動作させる。アイテム登録部２３ｊは、現在作成されているカレンダーを決定データとしてアイテムデータ６ｅに保存する。なお、一度アップロードしていても、アイテムデータ６ｅから呼び出して任意に編集できる。
【００６７】
図３（Ｄ）は、アイテム選択部２３ｇが画面表示するアイテムページ作成画面８０の画面構成図である。
アイテムページ作成画面８０は、デザインボタン８１、パスワードボタン８２、パスワードページ表示枠８４、キャンセルボタン８８、および決定ボタン８９により構成されている。
【００６８】
デザインボタン８１は、選択されると図示省略するパスワードページデザイン選択画面を表示し、基本設定データ６ａおよびアイテムデータ６ｅに登録されている多数のパスワードページのデザインから任意のデザインの選択を受け付ける。ユーザの所属する組織が組織独自のパスワードページのデザインを組織データ６ｂに登録している場合は、そのユーザは自己の所属する組織の連絡先ページのデザインも選択できる。
【００６９】
パスワードボタン８２は、図示省略するパスワード一覧表示画面を表示し、個人データ６ｃに記憶されているパスワードデータのうち、手帳に印刷するデータの選択を受け付ける。このとき、パスワードボタン８２は、印刷開始パスワード指定手段として機能する。また、ユーザの所属する組織が組織データ６ｂ内にパスワードデータを登録している場合、このパスワードについてもパスワード一覧表示画面に表示し、手帳への印刷をするか否か選択させる。また、印刷するパスワードの選択については、一覧のうち印刷開始部と、印刷件数を指定する形で選択する構成となっている。その際、前回の手帳作成時に印刷された範囲が明示され、前回手帳作成時に印刷された最後のパスワードの次のパスワードから印刷することをデフォルト表示とすることが好ましい。このとき前回の印刷範囲が明示されるパスワードボタン８２は、印刷開始パスワード確認表示部として機能する。そして、前回印刷範囲の中から現在使用しているパスワードをユーザが選択すれば、その現在使用中のパスワードと、まだ使われていないパスワードを並べた状態で出力することができる。また、パスワードデータは、数字４文字、英数６文字、英数８文字、英数大文字小文字交じり８文字、英数特殊文字交じり８文字等、様々な形式のものを用意しておき、ユーザが必要な形式のものを必要なだけ選択すると良い。これにより、形式の異なる多種類のパスワードを適宜更新しつつ管理でき、パスワードがわからなくなることを防止できる。
【００７０】
パスワードページ表示枠６４は、デザインボタン８１で選択されたデザインのパスワードページ８５を表示するとともに、そのパスワードページ８５に設定されているデータ枠内にパスワードボタン８２で選択されたパスワード８７を１件ずつ入力した状態で表示する。また、パスワード８７の近傍には、チェックボックス８６を表示する。これにより、使用中あるいは使用済みのパスワードにチェックを入れることができ、パスワードをどこまで使用しているか管理できる。
【００７１】
キャンセルボタン８８は、選択されると、デザインボタン８１で選択されたデザインやパスワードボタン８２で選択されたパスワードにより作成されているパスワードページを保存せずにキャンセルし、前の画面に戻る。
【００７２】
決定ボタン８９は、選択されると、デザインボタン８１で選択されたデザインやパスワードボタン８２で選択されたパスワードにより作成されているパスワードページを決定データとして手帳データ６ｆに保存する。なお、一度決定していても、印刷前であれば手帳データ６ｆから呼び出して任意に編集できる。
【００７３】
なお、アイテム選択部２３ｇは、アイテム提供者、広告提供者およびアイテムの公開を希望したユーザが提供した様々なアイテムデータ６ｅを利用できるため、多種多様な手帳の作成に寄与するとともに、様々なアイテム提供者および広告提供者によるアイテムデータ６ｅの登録を受け付けることでコンテンツの充実を図ることができる。
【００７４】
以上の構成により、オリジナル手帳製造システム１は、オリジナル手帳製造プログラム１１による制御により、ユーザが独自にカスタマイズした手帳を作成でき、かつ、単にオリジナル手帳を作成できる以上に利便性の高い環境でオリジナル手帳を作成できる。
【００７５】
また、ユーザにとって毎年固定されている固定予定データの登録を受け付けるようにしているので、ユーザの毎回のデータ入力に係る労力を有効に軽減することができる。
特にオリジナルページデータ登録手段たるアイテム登録部２３ｊを備えたことにより、ユーザは、ユーザ自身が選択した任意の前記カレンダページデータを含むページデータをアップロードボタン５９ａ、７９ａを介して他の不特定多数或いは限定された所定の複数のユーザへ公開可能として無料または有料で提供することも可能であるので、コンテンツの更なる充実を図ることができる。
更に、組織データ６ｂを取得し、ユーザに関連したデータである個人データ６ｃに登録されている個人情報に沿ってユーザが任意に変更して前記カレンダページデータを含むページデータを最終決定できるようにできるので、会社などの組織の見た目の統一や業務の連携を促すことと、ユーザ個人にとっての使い易さを有効に両立させることができる。
【００７６】
また、アイテム提供者が提供するアイテムを適宜利用できるため、手帳の各ページを豊富なデザインから選択できるとともに、様々な独自のページを追加することができる。特に、アイテム提供者は増加していき、各アイテム提供者が登録するアイテムも増加するため、アイテムの種類が加速度的に増加していき、作成できる手帳のバリエーションが非常に多くなって、利用者の要望に限りなく答えることができる。
【００７７】
また、アイテム提供者がアイテムデータの利用者を制限したい場合は制限することができるため、特定のユーザにのみアイテムを提供することが可能となる。これにより、例えばアイテム提供者が自社サービスの会員を募っており、会員にランク付けをしている場合、ランクに応じて使用可能なアイテムを変更するといったことができる。
【００７８】
また、カレンダページについては、印刷開始月を指定する、開始曜日を指定するなど、ユーザの希望を自由に反映させることができる。したがって、ユーザは、欲しい期間の欲しい形式のカレンダページがある手帳を作成して得ることができる。
【００７９】
特に、手帳印刷支持部３２が手帳製造番号を受け付ければ同じ手帳を再度印刷できるようにしている。ユーザが不意に手帳を紛失してしまうような事態があっても好適に対応し得るだけでなく、ひいてはユーザに安心感を与えることにも資する。
また、パスワードページにより、忘れやすいパスワードを管理することができる。特に、定期的に変更が求められるパスワードであっても、使用したパスワードのチェックボックス８６にチェックをしていけば、最新のパスワードを判別できるとともに、変更時に同じパスワードを設定しないことができる。
【００８０】
特に、カレンダーや連絡先のページなど通常印刷と特殊印刷（プレ印刷）を混合しているページについては、特殊印刷により印刷された情報を消しゴムで消す（あるいはこすることによる摩擦で消す）ことができ、かつ、通常印刷部分は一緒に消えてしまうことがないため、予定変更や連絡先変更等に柔軟に対応できてかつ便利に利用できる。
また、連絡先データをユーザ端末５等から登録し、この連絡先データを連絡先ページに流し込んで印刷できるため、利用者は、毎年連絡先を入力あるいは書き込むといったことをせずとも、最新の連絡先データが印刷された手帳を毎年入手することができる。また、連絡先データについても、一部は特殊印刷とすることができるため、住所変更や電話番号の変更があった場合に消して手書きで書き直すといったことが可能になる。
【００８１】
なお、以上の実施形態において、基本設定データ６ａ、組織データ６ｂ、およびアイテムデータ６ｅを記憶する管理サーバ６の記憶部は、要素別ページデータ記憶手段として機能する。
また、手帳データ作成部２３は、ユーザ別ページデータ選択手段として機能する。
また、個別予定データ（固定予定データおよび変動予定データ）を登録するオリジナルデータ入力部１４は、個別予定データ登録手段として機能する。
また、個別予定データ（固定予定データおよび変動予定データ）が含まれる個人データ６ｃを記憶する管理サーバ６の記憶部は、個別予定データ記憶手段として機能する。
また、カレンダー５５の日付枠内に予定５６を配置するカレンダ設定指定部２３ｃは、カレンダー上予定配置手段として機能する。
また、アイテム提供者端末３は、提供者別ページデータ登録手段として機能する。
また、アイテムデータ６ｅを記憶する管理サーバ６の記憶部は、提供者別ページデータ記憶手段として機能する。
また、パスワードデータを含む個人データ６ｃを記憶する管理サーバ６の記憶部は、パスワード候補記憶手段として機能する。
【００８２】
また、カレンダページ作成画面５０では、過去に作成されたカレンダページを表示して手直しできるように構成してもよい。この場合、自身が過去に作成したカレンダページを表示するとよく、さらには、そのカレンダページと所定事項が一致するカレンダページを作成した他のユーザのうち何人がどういうカレンダページに仕上げたかという情報を表示する構成としてもよい。所定事項は、例えば見開き一週間や見開き一カ月などの表示形式、バーティカル、日付毎のコメント欄の有無、メモ欄のマス目サイズ、あるいはこれらの複数等の適宜の事項に設定することができる。これにより、自身が昨年利用したカレンダと同じカレンダのユーザが利用した便利な機能などを知ることができ、より充実したカレンダを作成することが可能となる。
【００８３】
なお、この発明は、上述した実施例に限られず、他の様々な実施形態とすることができる。例えば、上述した実施例ではユーザがデザインしたアイテムデータを他のユーザにも閲覧、選択し得る構成を開示したが、公開されたアイテムデータに対し他のユーザが使用感等の感想をコメントし得る構成を別途設けるようにしても良い。
【００８４】
また例えば、様々なページを作成できる機能を利用して、ユーザの手帳として提供するに限らず、学校の生徒手帳を作成する、あるいは組織が発行する組織手帳（会社手帳）を作成するなど、様々な用途に利用することができる。
【産業上の利用可能性】
【００８５】
この発明は、オリジナルの手帳を作成するような産業に利用することができる。
【符号の説明】
【００８６】
１…オリジナル手帳製造システム
３…アイテム提供者端末
５…組織端末
６…管理サーバ
６ａ…基本設定データ
６ｂ…組織データ
６ｃ…個人データ
６ｅ…アイテムデータ
６ｆ…手帳データ
１４…オリジナルデータ入力部
２２…手帳データ管理部
２３…手帳データ作成部
３２…手帳印刷指示部
【図１】
2020066127.tif 000003
【図２】
2020066127.tif 000004
【図３】
2020066127.tif 000005